(57)【要約】【課題】自己の通信の履歴情報に基づいて情報を抽出し、この抽出した情報をカレンダーに対応づけて、視覚的により分かりやすく表示する。【解決手段】通信装置は、日々の通信の履歴情報を内部に記憶し、日毎の通信の履歴情報を複数のパターンに分類する。また、これらの複数のパターンにそれぞれ対応する画像を予め内部に記憶しておく。表示画面６００のカレンダー表示エリア６１０には、日毎の通信の履歴情報に対応するパターンに対応づけられた画像（アイコン７０１〜７０３）を、カレンダーの各日に対応づけて表示する。付加情報表示エリア６２０には、カーソル６９０で選択された日の統計情報等を表示する。画像表示エリア６３０には選択された日に関連する画像を表示する。【選択図】図８
2007110199.tif 000002
【特許請求の範囲】
【請求項１】
通信の履歴情報を記憶する履歴情報記憶手段と、
カレンダーを表示する表示手段と、
日毎の通信の履歴情報を複数のパターンに分類する手段と、
前記複数のパターンにそれぞれ対応する画像を予め記憶する画像記憶手段とを備え、
前記表示手段は、カレンダーの表示時に、日毎の通信の履歴情報に対応するパターンに対応づけられた画像を、カレンダーの各日に対応づけて表示する
ことを特徴とする通信装置。
【請求項２】
前記通信は電子メールまたは通話であり、前記履歴情報はその受信数であり、各日はその日の受信数の多寡の度合いに応じて前記複数のパターンに分類されることを特徴とする請求項１記載の通信装置。
【請求項３】
前記表示手段は、複数の受信のうち所定の割合以上が同一の発信者からの受信である日について、前記複数のパターンに対応する画像に代えて、所定の割合以上が同一の発信者からの受信であることを示す画像を表示することを特徴とする請求項１または２記載の通信装置。
【請求項４】
通信相手の情報を登録するアドレス帳を記憶する手段を備え、
前記表示手段は、複数の受信のうち所定の割合以上が同一の発信者からの受信である日について、当該発信者を表す画像がアドレス帳に登録されている場合、前記カレンダーの表示領域以外の表示領域に当該発信者を表す画像を表示することを特徴とする請求項３記載の通信装置。
【請求項５】
カレンダー内の任意の日を指示する指示手段を備え、
前記表示手段は、前記カレンダーの表示領域とは別の領域に、指示されている日に対応する付加情報を表示することを特徴とする請求項１または２記載の通信装置。
【請求項６】
前記通信が電子メールであり、受信メールのうち削除が禁止された受信メールである保護メールが存在する場合、前記表示手段は、前記複数のパターンに対応する画像に代えて、保護メールに対応する画像をその日に対応づけて表示することを特徴とする請求項１または２記載の通信装置。
【請求項７】
前記表示手段は、前記保護メールの内容を前記カレンダーの表示領域とは別の領域に表示することを特徴とする請求項６記載の通信装置。
【請求項８】
前記履歴情報から統計情報を抽出する統計情報抽出手段をさらに備え、
前記表示手段は、前記カレンダー表示とは別に、前記統計情報抽出手段により得られた情報に基づいて、所定の期間における送信数と受信数の少なくとも一方の推移をグラフ表示することを特徴とする請求項１記載の通信装置。
【請求項９】
通信装置においてカレンダーを表示するコンピュータプログラムであって、
通信を行うたびに通信の履歴情報を記憶するステップと、
日毎の通信の履歴情報を複数のパターンに分類するステップと、
カレンダーを表示するステップと、
カレンダーの表示時に、前記複数のパターンにそれぞれ対応して予め記憶されている画像を参照し、日毎の通信の履歴情報に対応するパターンに対応づけられた画像をカレンダーの各日に対応づけて表示するステップと
をコンピュータに実行させるためのコンピュータプログラム。
【発明の詳細な説明】
【技術分野】
【０００１】
本発明は、主として電子メールを送受信する機能を有する通信装置に関するものである。
【背景技術】
【０００２】
現在、携帯電話端末は広く普及し、また、その多機能化により、通話機能に加えて、スケジュール、アラーム、電子メール、ウェブ閲覧、カメラ撮影等、種々の機能が利用可能となっており、多くの人々にとって必需品となってきている。
【０００３】
特に、電子メール機能は通信可能な圏内にあれば任意の場所で任意の時刻にメールの送受信が可能であるため、多くのユーザにとって、コミュニケーションのための不可欠なツールとなっている。メールや通話の頻度はユーザによって異なるが、例えば１０代女性などでは携帯電話のメールの利用頻度が高いようである。
【０００４】
従来、メールや電話の送信および受信について、履歴情報が自動的に蓄積され、ユーザは履歴情報を確認できるようになっている。履歴情報の表示方法として、日付毎に通信履歴の件数をカレンダー形式で表示するものが提案されている（特許文献１参照）。具体的には、１月のカレンダー表示の個々の日付の欄にその日の「電話：５件、ＦＡＸ：５件、メール：２件」のようにテキスト情報が表示される。また、カレンダー上で特定の接続種別を指定すれば、通信履歴データの詳細を表示することができる。
【特許文献１】特開平１１−９８２８４号公報
【発明の開示】
【発明が解決しようとする課題】
【０００５】
ところで、携帯電話端末は個人単位に使用される装置であり、携帯電話端末を利用したメールの送受信は私的なコミュニケーションに利用されることが多い。１日に何十通もの私的なメールのやりとりをするユーザにとっては、日々のメールや通話の受信数およびその推移、誰からの受信が多いか、送信数と受信数のいずれか多いか、等が気になる。
【０００６】
上記特許文献１に記載のような従来技術では、日々の通信件数は一覧できるが、個々の通信件数を数字で表示されても、ユーザは個々の数字を読まなければならず、必ずしも認識が容易ではない。また、得られる情報は通信件数に限られていた。さらに、テキストによる表示ではエンターテインメント性に欠けるという問題もあった。
【０００７】
本発明はこのような背景においてなされたものであり、本発明は、自己の通信の履歴情報に基づいて情報を抽出し、この抽出した情報をカレンダーに対応づけて、視覚的により分かりやすく表示することができる通信装置およびこの通信装置において実行されるコンピュータプログラムを提供するものである。
【課題を解決するための手段】
【０００８】
本発明による通信装置は、通信の履歴情報を記憶する履歴情報記憶手段と、カレンダーを表示する表示手段と、日毎の通信の履歴情報を複数のパターンに分類する手段と、前記複数のパターンにそれぞれ対応する画像を予め記憶する画像記憶手段とを備える。前記表示手段は、カレンダーの表示時に、日毎の通信の履歴情報に対応するパターンに対応づけられた画像を、カレンダーの各日に対応づけて表示する。これによりカレンダーの各日について、その日の通信の履歴情報に基づく通信状況が画像により一覧できるので、個々の日の通信状況、および、日々の通信状況の変化を容易に認識することができる。
【０００９】
より具体的には、各日の受信数の多寡の度合いに応じて画像の他、複数の受信のうち所定の割合以上が同一の発信者からの受信である日についてその旨を示す画像、受信メールのうち削除が禁止された受信メールである保護メールが存在する場合に保護メールに対応する画像等を表示することができる。
【００１０】
保護メールについては、さらに、前記保護メールの内容を前記カレンダーの表示領域とは別の領域に表示するようにしてもよい。
【００１１】
前記履歴情報から統計情報を抽出する統計情報抽出手段をさらに備え、前記表示手段は、前記カレンダー表示とは別に、前記統計情報抽出手段により得られた情報に基づいて、所定の期間における送信数と受信数の少なくとも一方の推移をグラフ表示することも可能である。
【００１２】
本発明によるコンピュータプログラムは、通信装置においてカレンダーを表示するコンピュータプログラムであって、通信を行うたびに通信の履歴情報を記憶するステップと、日毎の通信の履歴情報を複数のパターンに分類するステップと、カレンダーを表示するステップと、カレンダーの表示時に、前記複数のパターンにそれぞれ対応して予め記憶されている画像を参照し、日毎の通信の履歴情報に対応するパターンに対応づけられた画像をカレンダーの各日に対応づけて表示するステップとをコンピュータに実行させる。
【発明の効果】
【００１３】
本発明によれば、カレンダーの表示時に、日毎の通信の履歴情報に対応するパターンに対応づけられた画像を、カレンダーの各日に対応づけて表示することにより、日々の通信の状況を視覚的により分かりやすく表示することができるとともに、ユーザインタフェースにエンターテインメント性を持たせることが可能となる。
【００１４】
また、各日の最多受信者は保護メールの有無などを表す画像をカレンダー表示に反映させるようにすれば、さらに多様な情報を提示することができる。
【００１５】
さらに、前記カレンダーの表示領域とは別の領域に、指示されている日に対応する付加情報を表示するようにすれば、提示情報を補足することができる。
【発明を実施するための最良の形態】
【００１６】
以下、本発明の好適な実施の形態について、図面を参照しながら詳細に説明する。本実施の形態のターゲット層は１日あたり相当数（例えば４０通以上）のメールの送受信をしているとされるユーザ（例えば１０代女性）を想定している。但し、ここで説明する内容はあくまで一例であり、本発明はこれに限定されるものではない。
【００１７】
図１は本発明の通信装置の一例としての携帯電話端末１００の外観を示している。端末１００は、筐体内に収納された表示部２２０と、操作部２２３とを備える。表示部２２０は、ユーザに対して各種の視覚的な情報を提供するためのユーザインタフェースであり、典型的には液晶ディスプレイ、有機ＥＬディスプレイ等の表示デバイスを含む。操作部２２３は、ユーザが指示や情報を入力するためのユーザインタフェースであり、典型的には、文字、数字、記号等を入力するためのキー（テンキー）、上下左右の方向を指示するキー、機能が逐次割り当てられるソフトキー、電源キー、通話キー等の各種のキー（押しボタン）を含む。
【００１８】
図２に、図１の携帯電話端末１００の内部のハードウェア構成を示す。この携帯電話端末１００は、携帯電話に特有の要素として、アンテナ２０１、送受信処理部２０３、変復調処理部２０５、データ処理部２０７、Ｄ／Ａ変換器２０９、スピーカ２１０、Ａ／Ｄ変換器２１１およびマイク２１２を備える。携帯電話端末１００は、また、これらの各要素を制御するＣＰＵ，ＲＯＭ等を含む制御部２２５、この制御部２２５により作業領域やデータの一時記憶領域として利用されるメモリ２２７、および、前記表示部２２０、前記操作部２２３、ＲＴＣ（Real Time Clock）２２９を備える。スピーカ２１０は通話用と着信音用に複数あってよい。制御部２２５のＲＯＭ内には、読出し専用メモリや、電気的に情報が書込みおよび消去可能な読出し専用メモリ（ＥＥＰＲＯＭ）が使用され、通常の携帯電話端末の操作入力受付、通信、メール処理、ウェブ処理、表示、音声入出力、電話帳管理、スケジュール管理、等の各種動作のための制御プログラムおよび固定的なデータが格納されている。メモリ２２７内には、アドレス帳、通信履歴情報、プリセット画像、背景画像、カレンダーデータ、カレンダー用画像、等の各種のデータが格納される。ＲＴＣ（Real Time Clock）２２９は、日時の管理やタイマー機能を提供するブロックである。
【００１９】
図３は携帯電話端末１００のメモリ２２７に格納されるアドレス帳３００の構成を模式的にテーブル形式で示したものである。アドレス帳３００には、ユーザによる指示操作により、相手の「名前」「よみ」「ＴＥＬＮｏ．（電話番号）」「メールアドレス」「画像（写真）」等の個人情報が登録される。さらに、住所、誕生日、趣味、星座等の個人情報も登録可能である。各登録者のレコードには登録順に通し番号が付与されて管理される。
【００２０】
図４（ａ）（ｂ）は、それぞれ、メール受信履歴情報３１０およびメール送信履歴情報３２０を模式的にテーブル形式で示したものである。メール受信履歴情報３１０は、個々の受信メールについて、その受信「日時」「送信者（表示名）」「件名」「本文」「添付データ」を含み、各レコードは受信した順に通し番号を付して管理される。「送信者」はそのメールの相手がアドレス帳に登録されていればその登録名、登録されていなければそのメールに含まれる相手の表示名またはメールアドレスである。
【００２１】
メール送信履歴情報３２０は、個々の送信メールについて、その送信「日時」「受信者」「件名」「本文」「添付データ」を含み、各レコードは送信した順に通し番号を付して管理される。「受信者」は、そのメールの受信者がアドレス帳に登録されていればその登録者の登録名、登録されていなければメールアドレスである。
【００２２】
図５（ａ）（ｂ）は、それぞれ電話受信履歴情報４１０および電話発信履歴情報４２０を模式的にテーブル形式で示したものである。電話受信履歴情報４１０は、個々の電話受信について、その受信「日時」「発信者」「通話時間」を含み、各レコードは受信した順に通し番号を付して管理される。「発信者」は、その電話を掛けてきた相手がアドレス帳に登録されていればその登録者の登録名、登録されていなければ相手の電話番号である。
【００２３】
電話発信履歴情報４２０は、個々の電話発信について、その発信「日時」「相手」「通話時間」を含み、各レコードは発信した順に通し番号を付して管理される。「相手」は、その電話の相手がアドレス帳に登録されていればその登録者の登録名、登録されていなければ相手の電話番号である。
【００２４】
以下、本実施の形態における動作について説明する。以下では主として、通信の種類としてメールを例として説明するが、メール特有の項目を除き、通話についても同様に本発明を適用することができる。
【００２５】
〔カレンダー表示〕
【００２６】
図６に、本実施の形態におけるカレンダー表示のための画面構成を示す。カレンダー表示のための表示画面６００は、この例では少なくとも月単位のカレンダーを表示するカレンダー表示エリア６１０、付加情報を表示する付加情報表示エリア６２０、画像を表示する画像表示エリア６３０およびソフトキーなどの割り当て内容を表すガイダンス表示エリア６４０を含んでいる。
【００２７】
本実施の形態ではカレンダーを月単位とし、後に言及する図に示すように、１週間の７日を１行として複数行に並べて配置したマトリックス状のカレンダー表示としている。「付加情報」は後述するように、着目した日の統計情報や、着目したメールの内容等の付加的な情報を表示するエリアである。画像表示エリア６３０は、着目したメールの送信者を表す画像（写真等）や予め用意したプリセット画像などを表示するエリアである。
【００２８】
付加情報表示エリア６２０および画像表示エリア６３０の内容は、カレンダー表示エリア６１０内で現在選択されている（カーソル等により強調表示されている）日付に応じて変化する。カーソルは操作部２２３の操作によりユーザが任意に移動させることができる。
【００２９】
本実施の形態では、通信の履歴情報に基づいてカレンダーの各日付に画像を割り当て、カレンダーの当該日付の欄にその画像を表示する。この「画像」は画像表示エリア６３０で表示される画像とは直接的に関係なく、各日付における通信の履歴情報から得られた情報を表した画像である。本明細書ではカレンダーの各日付欄に表示される画像をアイコンと呼んで、画像表示エリア６３０に表示される画像と区別する。
【００３０】
このようなアイコンの割り当ては複数のパラメータに基づいて行う。複数のパラメータはここでは履歴情報から求められる日毎の「受信数」「保護メール（の有無）」「最多受信者」であり、これらのパラメータには優先順位が付けられる。ここでは、「保護メール」が最も優先順位が高く、ついで、「最多受信者」、「受信数」の順としている。但し、優先順位はこれに限定されるものではない。また、優先順位がユーザが可変設定できるようにしてもよい。
【００３１】
（１）受信数
まず、所定の期間のメールの平均受信数を求めておく。所定の期間は例えば、端末の購入後から現在までの期間、あるいは、現在から所定時間（例えば１ヶ月、数ヶ月、１年等）前までの期間、等である。前者では端末の利用開始時からの通算の平均数を求めることができるのに対し、後者では最近の利用状況に比重を置いた平均を求めることができる。本発明では、着目する日の受信数の多寡の度合いに応じてその受信数を複数のパターンに分類する。本実施の形態では、図７（ａ）に示すように、平均数Ａｖに基づいて二つの閾値Ｔｈ１、Ｔｈ２（Ｔｈ２＞Ｔｈ１）を求め、これらの閾値Ｔｈ１、Ｔｈ２に基づいてその日の受信数を「少」「中」「多」の３段階に分類する。閾値Ｔｈ１、Ｔｈ２の求め方は特に限定するものではないが例えば次のようなものが考えられる。
【００３２】
（ａ）平均値Ａｖの２倍を最大数とみなし、この最大数を３つの等領域に分割する場合
Ｔｈ１＝（Ａｖ×２）×１／３
Ｔｈ２＝（Ａｖ×２）×２／３
（小数点は四捨五入または切り捨て）
【００３３】
（ｂ）平均値Ａｖの±所定値を二つの閾値とする場合
Ｔｈ１＝Ａｖ−Ｘ
Ｔｈ１＝Ａｖ−Ｘ
ここで、Ｘは固定値でもよいが、平均値の大小により、「少」「中」「多」の各領域の数に極端な偏りが発生するのをなくすためには、平均値に連動させることが望ましい。そのためには例えば
Ｘ＝ａ×Ａｖ
係数ａの値は１より小さい正の係数である。ａ＝１／３とすると、（１）の結果と同じになる。係数ａをより小さくすると「中」の領域の幅が狭くなり、ａ係数をより大きくすると「中」の領域の幅が広くなる。
【００３４】
このような閾値により分類される３段階の受信数のそれぞれに対して、感情の起伏を表したアイコン７０１，７０２，７０３が割り当てられる。「少」に割り当てられるアイコン７０１は寂しい顔を模したアイコン、「中」に割り当てられるアイコン７０２は普通の顔を模したアイコン、「多」に割り当てられるアイコン７０３は嬉しい顔を模したアイコンとしている。また、図７（ｂ）（ｃ）（ｄ）に示すように、アイコン７０１〜７０３にそれぞれ対応して画像表示エリア６３０に表示される画像７０１’〜７０３’を示している。
【００３５】
図８に、カレンダー表示の画面６００の例を示す。このカレンダー表示エリア６１０内は２００４年７月のカレンダーを表している。このカレンダーを表示した日が２００４年７月２７日であり、２８日以降の欄は空欄となっている。ここでは、１７日にカーソル６９０が当たった状態を示し、付加情報表示エリア６２０内にその日の受信数および平均数が表示されている。また、後述するような「今日は多いです」等のメッセージが表示されている。画像表示エリア６３０内には、カーソル６９０で指定された日のアイコン７０３に対応する画像７０３’が表示されている。
【００３６】
（２）保護メール（の有無）
ユーザ（受信者）が誤って削除されることを禁止したメールを保護メールという。着目する日に受信されたメールのうち、このような保護メールが１通でも存在すれば、その日に対して、保護メールに予め対応づけられた画像を割り当てる。また、付加領域に当該保護メールの内容を表示する。また、カレンダーの各日付の欄には保護メールを表すアイコン（後述する図９の７０４）を表示する。
【００３７】
図９に保護メールが存在する日（図では７月８日）が選択された場合のカレンダー表示の画面例を示している。カレンダー表示エリア６１０の内容は図８と同じであるが、カーソル６９０の位置が異なっている。カーソル６９０の当たった日には保護メールがあり、この日の欄に保護メールを表すアイコン７０４（この例ではメールがハートでシールされた絵柄）が表示されている。付加情報表示エリア６２０内には、その日の受信数および平均数に加えて、保護メールの内容が表示されている。画像表示エリア６３０内には、保護メールに対応づけられた特定のプリセット画像が表示されている。この代わりに、保護メールの送信者を表す画像（写真等）を表示してもよい。但し、保護メールが複数存在し、それらの送信者が異なる場合には、予め定めた規則にしたがって選んだいずれか一人の画像を表示する。予め定めた規則とは、例えば受信日時が最も速いもの、受信日時が最も遅いもの、ランダムで選択したもの、等任意である。
【００３８】
（３）最多受信者
着目する日に受信されたメールのうち、半数以上を同一人物から受信している場合、ハート画像のアイコンをその日の欄に表示する。また、画像表示エリア６３０にその人物の登録画像（あれば）を表示する。
【００３９】
図１０に最多受信者がある日が選択された場合のカレンダー表示の画面例を示している。カレンダー表示エリア６１０の内容は図８と同じであるが、カーソル６９０の位置が異なっている。この例では、２１日にカーソル６９０が当たっている。この日には、最多受信者が存在し、この日の欄に最多受信者の存在を表すアイコン７０５（ここではハートの絵柄）が表示されている。付加情報表示エリア６２０内には、その日の受信数および平均数に加えて、後述するような特定のメッセージが表示されている。画像表示エリア６３０内には、その最多受信者の画像（顔写真）が表示されている。なお、受信数が極端に少ない場合（例えば数通の場合）「最多」の意味が薄れるので、最多受信者の判定は当日の受信数が所定数以上ある場合のみ行うようにしてもよい。
【００４０】
画像表示エリア６３０には、保護メールがある場合にはそのメール送信者の画像が優先的に表示される。また、保護メールがない場合、最多受信者の登録画像（あれば）が表示される。そうでない場合には、予め用意された画像が所定のフローに従って選択されて表示される。
【００４１】
付加情報表示エリア６２０には、着目する日のメールの受信数、平均数が表示される。保護メールがある場合には、その内容（タイトル、送信者、本文）が表示される。同日に複数の保護メールがある場合には、通し番号に基づいて自動的に一つを選択する、あるいは、その都度、ランダムに選択する。付加情報表示エリア６２０に受信メールの内容を表示しない場合には、他のメッセージの表示を行うようにしてもよい。例えば、画像表示エリア６３０内に最多受信メールの送信者の画像を表示する場合には、「今日のマイブームは、○○さん」のようなメッセージを表示してもよい。「○○」にはその送信者の名前が組み込まれる。また、受信数に応じて「今日は多いです」「今日は少ないです」のような受信数の多寡を表すメッセージを表示するようにしてもよい。
【００４２】
このように、図８〜図１０のような画面には、ユーザの通信の履歴情報が時系列で反映される。したがって、このようなユーザインタフェースは、ある意味で、その人の他者とのコミュニケーションにおける自分史として機能する。
【００４３】
〔メールー覧〕
上記のようなカレンダー表示画面において、ユーザが特定の有効な日付にカーソルを合わせて、所定の指示（ここでは左ソフトキー（ｍａｉｌ）の押下）を行うと、図１１に示すようなその日の受信箱のメールー覧画面９００が表示される。これは各端末に入っている既存の検索機能を利用して行える。ここでは、保護メールを含んだ例を示している。図における保護メールのアイコン９１０は受信箱における表示用のアイコンであり、カレンダー表示エリア６１０内の保護メールのアイコン７０５とは必ずしも一致しなくてもよい（この例でも一致していない。）
【００４４】
〔グラフ表示〕
図１２は、上記画面６００または８００において、ユーザによる所定の指示（ここでは右ソフトキー（星印）８５１の指示）により表示されるグラフ表示画面８００を示している。この画面は、カレンダー表示とは別に、統計情報に基づいて、所定の期間における送信数と受信数のの推移をグラフ表示エリア８１０にグラフ表示したものである。ここでは、単位期間（この例では１週間）毎の受信数を折れ線グラフ８２１で示し、送信数を折れ線グラフ８２２で示している。図ではそれぞれ１日平均の数として示しているが、これに代えてまたは加えて１週間の総数を表示してもよい。また、各各単位期間内で最も受信数の多い相手の登録画像８６１〜８６２を所定のサイズに縮小して、折れ線グラフの各受信数に対応づけて表示している。さらに、現在着目している単位期間において最も受信数の多い相手の登録画像（ここでは画像８６２）を、グラフ表示エリア８１０とは別の画像表示エリア８２０内に表示している。さらに、画像表示エリア８２０の隣の付加情報表示エリア８３０に付加情報を表示している。この例では、当該単位期間「７／１１〜７／１７」および「今週のマイブームは△△さん」というメッセージを表示している。ここでの「△△」には当該画像の相手の名前が組み込まれる。
【００４５】
ケータイ白書２００５よれば、平均的な日本人の生活の中で、受信数が送信数よりも多いというデータがある。送受信数のグラフもほとんどの場合が総進数を受信数を上回ると想定される。したがって、受信数を送信数が上回る場合は送信者が孤独を感じ寂しいと分析ことができる。このような分析結果をテキストやグラフィックにより表示するようにしてもよい。
【００４６】
〔各種処理フロー〕
次に、上記のような本実施の形態の動作を実現するための制御部の処理フローを説明する。
【００４７】
図１３は、カレンダー表示処理のフローチャートである。
【００４８】
まず、当月のカレンダーデータをメモリ２２７から取得する（Ｓ１１）。日付を表す変数ｎを１として（Ｓ１２）、次のステップへ進む。すなわち、メモリ２２７内に保存された通信履歴情報の第ｎ日の通信データに基づいて、上述した複数のパラメータの判断結果に基づいて当日のアイコン等（画像や付加情報を含む）を決定する（Ｓ１３）。次いで、ｎを更新し（Ｓ１４）、当月の有効な最終日まで（Ｓ１５）、ステップＳ１３へ戻って、上記処理ステップを繰り返す。
【００４９】
最終日まで終了したら、決定されたアイコンを含めて当月のカレンダー表示を行う（Ｓ１６）。このカレンダー表示には当日のフォーカス表示を行う（Ｓ１７）。また、当日についてはＳ１３の判断結果に基づいて決定された付加情報および画像をそれぞれ付加情報表示エリア６２０および画像表示エリア６３０に表示する（Ｓ１８）。
【００５０】
ユーザによるカーソルの移動操作により日付が変更されたら（Ｓ１９）、ステップＳ１７へ戻って、フォーカスを移動させるとともにその日の付加情報を表示する。
【００５１】
ユーザによる所定の操作により月が変更されたら（Ｓ２０）、最初のステップＳ１１へ戻って、上記処理を繰り返す。また、ユーザによるカレンダー表示の終了指示があるまでは（Ｓ２１）、ステップＳ１９へ戻る。
【００５２】
図１４は、図１３のステップＳ１３における当日のアイコン等決定の具体的な処理例を表したフローチャートである。
【００５３】
まず、当日より過去の所定期間の平均受信数を算出する（Ｓ３１）。ついで、当日の受信メールの中に保護メールが存在するか否かをチェックする（Ｓ３２）。存在すれば、保護メールの送信者とその名前と件名（タイトル）と内容を当日の表示内容とする（Ｓ３３）。
【００５４】
ステップＳ３２で保護メールがないと判定された場合、当日の受信総数の５０％以上が同一人からのメールであるか否かをチェックする（Ｓ３４）。そうであれば、その送信者の名前を表示対象とする（Ｓ３５）。また、その送信者の青写真がアドレス帳に登録済であれば（Ｓ３６）、その顔写真を画像表示エリア６３０への表示対象とする（Ｓ３８）。登録済でなければ、予め定めた画像（プリセット画像）を画像表示エリア６３０への表示対象とする（Ｓ３７）。
【００５５】
ステップＳ３４で当日の受信総数の５０％以上が同一人からではないと判定された場合、当日の受信数が多いか（上記閾値Ｔｈ２以上か）をチェックする（Ｓ３９）。多ければ、第１のアイコン７０３をカレンダーの当該日付欄への表示対象とする（Ｓ４０）。ステップＳ３９で多くないと判定された場合、当日の受信数が普通か（上記閾値Ｔｈ１以上か）をチェックする（Ｓ４２）。普通であれば、第２のアイコン７０２をカレンダーの当該日付欄への表示対象とする（Ｓ４１）。ステップＳ４２で普通でないと判定されれば、第３のアイコン７０１をカレンダーの当該日付欄への表示対象とする（Ｓ４３）。
【００５６】
図１５は、図１２で説明したグラフ表示に関する具体的な処理例を示すフローチャートである。
【００５７】
グラフ表示が起動されたら、まず、表示対象期間が指定される（Ｓ５１）。図１２の例では、１週間を単位期間として、現在の週を含む過去のトータル５週間（すなわちほぼ１ヶ月）がデフォルトの表示対象期間として自動的に指定される。
【００５８】
当該表示対象期間の通信データ（ここではメールの送信数および受信数）を単位期間毎に集計する（Ｓ５２）。そこで、単位期間後との送信数の推移および受信数の推移をグラフで表示する（Ｓ５３）。また、単位期間後との最多受信者の顔写真（なければプリセット画像）をグラフ表示エリア内の各単位期間に対応づけて表示する（Ｓ５４）。
【００５９】
また、所定の単位期間がデフォルトとしてその単位期間にフォーカスが設定される（Ｓ５５）。このフォーカスされた単位期間の最多受信者の顔写真が画像表示エリア８２０に表示される（Ｓ５６）。また、当該単位期間の受信数と送信数（図ではそれぞれ１日平均の数）、および規定のメッセージ等の付加情報を付加情報表示エリア８３０に表示する（Ｓ５７）。
【００６０】
ユーザの操作によりフォーカスの移動が指示されたら（Ｓ５８，Ｙｅｓ）、ステップＳ５５へ戻る。
【００６１】
ユーザによるグラフ表示の終了が指示されたら（Ｓ５９，Ｙｅｓ）、この処理を終了する。
【００６２】
〔変形例〕
以上、本発明の好適な実施の形態について説明したが、上記で言及した以外にも種々の変形、変更を行うことが可能である。
【００６３】
例えば、図６のカレンダー表示エリア６１０、付加情報表示エリア６２０、画像表示エリア６３０に表示される背景画像やプリセット画像の人物の服装を複数用意し、所定のタイミングで切り替えるようにしてもよい。例えば、各月毎にその季節に合う背景や服装を用意し、月単位に切り替えることができる。
【００６４】
また、主としてメールの送受信情報の利用について説明したが、電話の送受信情報の利用にも適用可能である。
【００６５】
送受信を分けて管理したが、混在して管理してもよい。
【００６６】
本発明は携帯端末装置に適用して好適であるが、通信機能を備えたパーソナルコンピュータ（ＰＣ）における通信に適用することを排除するものではない。
【図面の簡単な説明】
【００６７】
【図１】本発明の通信装置の一例としての携帯電話端末の外観を示す図である。
【図２】図１の携帯電話端末のハードウェア構成の概略を示すブロック図である。
【図３】図１の携帯電話端末のメモリに格納されるアドレス帳の構成を模式的にテーブル形式で示した図である。
【図４】本発明の実施の形態におけるメール受信履歴情報およびメール送信履歴情報を模式的にテーブル形式で示した図である。
【図５】本発明の実施の形態における電話受信履歴情報および電話発信履歴情報を模式的にテーブル形式で示した図である。
【図６】本発明の実施の形態におけるカレンダー表示のための画面構成を示す図である。
【図７】本発明の実施の形態において、受信数を「少」「中」「多」の３段階に分類するための閾値Ｔｈ１、Ｔｈ２を示す図である。
【図８】本発明の実施の形態におけるカレンダー表示の画面の例を示す図である。
【図９】本発明の実施の形態において保護メールが存在する日が選択された場合のカレンダー表示の画面例を示す図である。
【図１０】本発明の実施の形態において最多受信者がある日が選択された場合のカレンダー表示の画面例を示す図である。
【図１１】本発明の実施の形態における特定の日の受信箱のメールー覧画面を示す図である。
【図１２】本発明の実施の形態におけるグラフ表示画面を示す図である。
【図１３】本発明の実施の形態におけるカレンダー表示処理のフローチャートである。
【図１４】図１３のステップＳ１３における当日のアイコン等決定の具体的な処理例を表したフローチャートである。
【図１５】図１２で説明したグラフ表示に関する具体的な処理例を示すフローチャートである。
【符号の説明】
【００６８】
１００…携帯電話端末、２０１…アンテナ、２０３…送受信処理部、２０５…変復調処理部、２０７…データ処理部、２０９…Ｄ／Ａ変換器、２１０…スピーカ、２１１…Ａ／Ｄ変換器、２１２…マイク、２２０…表示部、２２３…操作部、２２５…制御部、２２７…メモリ、３００…アドレス帳、３１０…メール受信履歴情報、３２０…メール送信履歴情報、４１０…電話受信履歴情報、４２０…電話発信履歴情報、６００…表示画面、６１０…カレンダー表示エリア、６２０…付加情報表示エリア、６３０…画像表示エリア、６４０…ガイダンス表示エリア、６９０…カーソル、７０１〜７０５…アイコン、７０１’〜７０３’…画像、８００…グラフ表示画面、８１０…グラフ表示エリア、８２０…画像表示エリア、８２１，８２２…線グラフ、８３０…付加情報表示エリア、８６２…画像、９００…メールー覧画面、９１０…アイコン
【図１】
2007110199.tif 000003
【図２】
2007110199.tif 000004
【図３】
2007110199.tif 000005
【図４】
2007110199.tif 000006
【図５】
2007110199.tif 000007
【図６】
2007110199.tif 000008
【図８】
2007110199.tif 000009
【図９】
2007110199.tif 000010
【図１０】
2007110199.tif 000011
【図１１】
2007110199.tif 000012
【図１２】
2007110199.tif 000013
【図１３】
2007110199.tif 000014
【図１４】
2007110199.tif 000015
【図１５】
2007110199.tif 000016
【図７】
2007110199.tif 000017